(57)【特許請求の範囲】
【請求項１】
限定された外形寸法に形成された筺体と、この筐体内に収納された開閉可能な接点部と、この接点部に開閉機構を介して連結され、上記筐体の外部から上記接点部を開閉操作するハンドルと、過電流に応動して上記開閉機構を動作させ上記接点部を開離する過電流引き外し部と、上記接点部から延設された電源側端子及び負荷側端子などを有する回路遮断器本体と、合成樹脂製のプラグケースの一端側に設けられた端子部が上記回路遮断器本体の電源側端子に着脱自在に接続され、上記プラグケースの他端側に設けられ、かつ、上記端子部と結合された差込用プラグが、電源回路用の導電ブスバーに差込み接続できるように構成された差込接続アダプタとを備えるものにおいて、上記差込接続アダプタは、上記プラグケースに形成された複数の開口部の中から上記導電ブスバーに差込み接続するための所定の開口部に差込用プラグが嵌装され、上記差込用プラグが嵌装されない開口部には、ほぼ四角形の絶縁板の対向する端縁に対称的に一対の軸状凸部を設けて形成され、これを、上記開口部に嵌めるとき上記開口部に対して垂直に挿入した後、上記軸状凸部を支軸にして回動することにより上記開口部を閉塞するようになされた絶縁蓋を設けたことを特徴とする回路遮断器。
【請求項２】
上記絶縁蓋は、軸状凸部が設けられていない端縁に一対の固定用凸部を設けて形成され、プラグケースの開口部には、上記絶縁蓋の軸状凸部を軸支する一対の軸支部と、一対の固定用凸部の一方を固定する固定部が設けられていることを特徴とする請求項１記載の回路遮断器。
【請求項３】
上記絶縁蓋は、一対の固定用凸部の近傍にアークガス用排気口を設けると共に、その形状は、上下方向及び左右方向とも対称であることを特徴とする請求項２記載の回路遮断器。
【請求項４】
上記絶縁蓋は、合成樹脂材で形成されていることを特徴とする請求項１ないし３のいずれか１項に記載の回路遮断器。
【発明の詳細な説明】
【技術分野】
【０００１】
この発明は、例えば協約型配線用遮断器のように、限定された外形寸法の小形回路遮断器において、電源回路用の導電ブスバーに差込み接続して使用するための差込接続アダプタを付加したもので、一般的にはプラグイン回路遮断器と称する回路遮断器に関し、詳しくは部品の共用化を図った構造に関するものである。
【背景技術】
【０００２】
従来の差込接続用回路遮断器においては、差込接続アダプタのプラグケースに形成された複数の開口部の中から、導電ブスバーに対応して所定の開口部に差込用プラグが嵌装されている。即ち、導電ブスバーに対応して差込用プラグを嵌装する開口部を選択するようになされているので、プラグケースには複数の開口部が設けてある（例えば、特許文献１参照。）。
【０００３】
【特許文献１】特開平１１−１２６６６９号公報（第４頁右欄第４行〜第７行）
【発明の開示】
【発明が解決しようとする課題】
【０００４】
従来の回路遮断器では、導電ブスバーに対応して差込接続アダプタに差込用プラグを嵌装するため複数の開口部が設けてある。このため、差込用プラグを嵌装しない開口部が生じる。これをそのままにして回路遮断器を使用すると、開口部から異物や塵埃などが入り絶縁不良や接続不良の原因になるおそれがある。
【０００５】
この発明は、上述のような課題を解決するためになされたものであり、プラグを嵌装しない開口部からプラグケースに異物や塵埃などが入るのを防止することにより、絶縁不良や接続不良の原因を抑制した回路遮断器を得ることを目的とするものである。
【課題を解決するための手段】
【０００６】
この発明に係る回路遮断器は、限定された外形寸法に形成された筺体と、この筐体内に収納された開閉可能な接点部と、この接点部に開閉機構を介して連結され、筐体の外部から接点部を開閉操作するハンドルと、過電流に応動して開閉機構を動作させて接点部を開離する過電流引き外し部と、接点部から延設された電源側端子及び負荷側端子などを有する回路遮断器本体と、合成樹脂製のプラグケースの一端側に設けられた端子部が回路遮断器本体の電源側端子に着脱自在に接続され、プラグケースの他端側に設けられ、かつ、端子部と結合された差込用プラグが、電源回路用の導電ブスバーに差込み接続できるように構成された差込接続アダプタとを備えるものにおいて、差込接続アダプタは、プラグケースに形成された複数の開口部の中から導電ブスバーに差込み接続するための所定の開口部に差込用プラグが嵌装され、差込用プラグが嵌装されない開口部には、ほぼ四角形の絶縁版の対向する端縁に対称的に一対の軸状凸部を設けて形成され、これを、開口部に嵌めるとき上記開口部に対して垂直に挿入した後、軸状凸部を支軸にして９０度回動することにより開口部を閉塞するようになされた絶縁蓋を設けたものである。
【発明の効果】
【０００７】
この発明は以上説明したように、開口部から異物や塵埃などが入り絶縁不良や接続不良を生じる原因を抑制したので、接続の信頼性を向上させるとともに、標準化構造に貢献できる回路遮断器を提供することができる。
【発明を実施するための最良の形態】
【０００８】
実施の形態１．
図１はこの発明の実施の形態１における２極回路遮断器を差込接続アダプタ側から見た外観斜視図である。図２は差込接続アダプタを取り外した状態の回路遮断器本体の内部構造図。図３は差込接続アダプタを背面側から見た分解斜視図である。図４は差込接続アダプタを前面側から見た分解斜視図である。図５は差込用プラグと端子部の関係を示す斜視図、図６はこの発明の主要部となる絶縁蓋の斜視図である。図７は差込接続アダプタを背面側から見た内部の斜視図である。図８は説明のために差込接続アダプタにおいてプラグホルダを除いた状態を示す背面図である。
【０００９】
図９はプラグケースにこの発明の絶縁蓋を挿入するときの説明図である。図１０はプラグケースに絶縁蓋を挿入する要領を示す説明図である。図１１はプラグケースに絶縁蓋を挿入した状態を示す説明図である。図１２はプラグケースに絶縁蓋を右回転させて挿入するときの説明図である。図１３はＮ―Ｔ接続タイプの説明図、図１４はＲ−Ｎ接続タイプの説明図、図１５はＲ―Ｔ接続タイプの説明図である。
【００１０】
図１の実施例は、例えば協約型配線用遮断器のように、限定された外形寸法の小形回路遮断器本体１を、電源回路用の導電ブスバー（図示せず）に差込み接続して使用するための差込接続アダプタ８を付加した２極の回路遮断器である。この種の回路遮断器としては、単相三線式の電源用導電ブスバー（Ｒ相・Ｎ相・Ｔ相）から、二つの相の導電ブスバーを選択して差込接続するために差込接続アダプタ８が付加されている。１３は差込用プラグであり、この実施例では一方の極がＮ相に、他方の極がＴ相に差し込まれるように構成されている。Ｒ相に差し込むための差込用プラグは設けられていない。なお、３は回路遮断器本体１の開閉操作用のハンドルである。
【００１１】
図２の回路遮断器本体２０は、限定された外形寸法に形成された合成樹脂製の筺体１と、この筐体１の中に収納された開閉可能な接点部２と、この接点部２に開閉機構４を介して連結され、筐体１の外部から接点部２を開閉操作するハンドル３と、過電流に応動して開閉機構４を動作させて接点部２を開離する過電流引き外し部５と、上記接点部２から延設された電源側端子６及び負荷側端子７などを有している。この回路遮断器本体２０は２極になっており、他方の極はこの図の背面側に絶縁隔壁を介して設けてあり、その構造は、電源側端子６の位置が異なる以外この図のものとほぼ同様の構造になっている。
【００１２】
差込接続アダプタ８は図３ないし図６に示すような部品で構成されている。即ち、１４は合成樹脂で形成されたプラグケースであり、前面側に、Ｒ相の導電ブスバーが挿通される凹部１４Ｒと、Ｎ相の導電ブスバーが挿通される凹部１４Ｎと、Ｔ相の導電ブスバーが挿通される凹部１４Ｔが形成されている。また、プラグケース１４には、差込用プラグ１３を嵌装するための開口部や内装される部品のための軸支部あるいは固定部などがあるが、それぞれ後述する。このプラグケース１４の内部には、プラグホルダ左１７とプラグホルダ右１８、２個の差込用プラグ１３、端子部左９と端子部右１０、２個の絶縁蓋１５が内装されている。
【００１３】
プラグホルダ左１７とプラグホルダ右１８はいずれも鉄板を折り曲げて形成され、端子保持部１７ａ及び端子保持部１８ａは、回路遮断器本体２０の電源側端子６に対応する位置にプラグケース１４の背面から突出するように設けられている。プラグケース１４の内部には、このプラグホルダ左１７とプラグホルダ右１８を位置決め保持するためのプラグホルダ用突起１４ｄが設けてある。端子部左９及び端子部右１０は、銅板で形成され上記
端子部左９は端子保持部１７ａの下側に、端子部右１０は端子保持部１８ａの下側に重ね合わせされるように配置される。この端子部左９及び端子部右１０には、図５に示すようにそれぞれ差込用プラグ１３が可撓銅撚り線１３ｂにより接続されている。（図３及び図４ではこの可撓銅撚り線１３ｂの図示を省略してある。）。なお、差込用プラグ１３の側面１３ａには差込用プラグ１３の弾性力を補強するための補助ばね１６が設けてある。また、この差込用プラグ１３は、プラグケース１４の凹部１４Ｒ，１４Ｎ，１４Ｔの部分に導出されて導電ブスバーに差込接続されるようになされている。１５は合成樹脂板で形成された絶縁蓋で、その形状及び装着手段に特徴を有するもので、詳細は後述する。
【００１４】
図７は差込接続アダプタ８の背面側であり、プラグホルダ左１７とプラグホルダ右１８
の端子保持部１７ａ及び端子保持部１８ａが回路遮断器本体２０の電源側端子６に対応する位置にある。これに対して差込用プラグ１３の位置は、後述のように導電ブスバーに対応してＮ―Ｔ接続タイプとＲ−Ｎ接続タイプとＲ―Ｔ接続タイプがある。このため、差込用プラグ１３の位置は変わるが、差込用プラグ１３に接続された端子部左９及び端子部右１０は、差込用プラグ１３の位置に関係なく、端子部左９は端子保持部１７ａの下側に、端子部右１０は端子保持部１８ａの下側に重ね合わせされるように配置される。絶縁蓋１５による開口部の閉塞については後述する。なお、プラグホルダ左１７とプラグホルダ右１８が嵌込みされる部分の幅寸法は、それぞれ約１０ｍｍ程度で指先が入らないような大きさになっている。
【００１５】
図８は説明のために差込接続アダプタ８から、差込用プラグ１３を固定する働きを有するプラグホルダ左１７とプラグホルダ右１８を除いた状態を示すものである。この図から理解できるように、プラグケース１４には４箇所に開口部１４ａがあり、４箇所のうち２箇所には差込用プラグ１３が嵌装され、他の２箇所には絶縁蓋１５が組み込まれている。図では左側下段と右側中段に差込用プラグ１３を、左側上段と右側下段に絶縁蓋１５を組み込んでいるが、用途、即ち後述のように接続タイプによっては他の組み合わせもあり、図８は組み合わせの一例である。
【００１６】
図９ないし図１２は絶縁蓋１５の装着手段について説明するものである。この場合の絶縁蓋１５は図６に示すように、ほぼ四角形の絶縁板の対向する端縁に対称的に一対の軸状凸部１５ａが設けてある。軸状凸部１５ａが設けられていない端縁には対称的に固定用凸部１５ｂが設けてある。固定用凸部１５ｂの近傍にはアークガス用排気口１５ｃが設けてあり、全体の形状は、上下方向及び左右方向とも対称形になされている。なお、この絶縁蓋１５は、絶縁性が高く、薄い合成樹脂板で形成されたものであるが、合成樹脂材の成型品でもよい。また、アークガス用排気口１５ｃは貫通孔に形成したものでもよい。上記の絶縁蓋１５を装着するために、図９に示すようにプラグケース１４には、軸状凸部１５ａを支える一対の軸支部１４ｂがある。また、固定用凸部１５ｂの片側を支える固定部１４ｃが開口部１４ａの側面のいずれか一方に設けられている。
【００１７】
絶縁蓋１５の挿入は、プラグケース１４において絶縁蓋１５を挿入する部分の幅寸法が狭いので、ピンセットを用いて挿入することになる。従って、絶縁蓋１５は図９に示すように、先ず、プラグケース１４に対し縦向き（垂直）に挿入し、図１０に示すように回転軸となる軸状凸部１５ａをプラグケース１４の軸支部１４ｂに当てる。軸状凸部１５ａは片側から先にプラグケースの軸支部１４ｂに当て、次に反対側を当てると、より挿入し易い。その後、図１０の状態から左回転させ、図１１に示すようにプラグケース１４に固定させる。
【００１８】
このとき、万一、右回転させ、図１２に示すように絶縁蓋１５がプラグケース１４の固定部１４ｃに引っ掛かり組み込めなくても、絶縁蓋１５のアークガス用排気口１５ｃの部分をピンセットの先で操作して左回転させることにより、図１１に示すように絶縁蓋１５を容易に組み込むことができる。組み込み後は、図７に示すように、プラグホルダ左１７及びプラグホルダ右１８をプラグケース１４に挿入することにより、絶縁蓋１５はプラグケース１４とプラグホルダー１７及び１８に挟まれ、プラグケース１４の開口部１４ａから外れることはなくなる。また、図５に示すように、差込用プラグ１３は片側から挿入される補助ばね１６と一緒に用いられるため、プラグケース１４の開口部１４ａの側面の固定部１４ｃが補助ばね１６を挿入しないプラグ側面１３ａから差込用プラグ１３を支えることができる。
【００１９】
この回路遮断器１２は、前記のように、電源用導電ブスバー（Ｒ相・Ｎ相・Ｔ相）から二つの相の導電ブスバーを選択して差込接続するために、単相三線式の回路の場合には、
図１３のＮ―Ｔ接続タイプ、図１４のＲ−Ｎ接続タイプ、図１５のＲ―Ｔ接続タイプがある。即ち、Ｎ―Ｔ接続タイプは、図１３に示すように、Ｎ２とＴ１の部分の開口部１４ａに差込用プラグ１３が嵌装される。Ｒ−Ｎ接続タイプは、図１４に示すように、Ｒ１とＮ２の部分の開口部１４ａに差込用プラグ１３が嵌装される。Ｒ―Ｔ接続タイプは、図１５に示すように、Ｒ１とＴ２の部分の開口部１４ａに差込用プラグ１３が嵌装される。
【００２０】
上記から理解できるように、Ｒ１・Ｎ２・Ｔ１・Ｔ２の４箇所にはプラグケース１４に  開口部１４ａが設けられ。この４箇所のうち２箇所を選択して差込用プラグ１３が嵌装される。差込用プラグ１３が嵌装されない２箇所の開口部１４ａには絶縁蓋１５を用いて開口部１４ａを閉塞する。Ｒ２とＮ１の部分は使用しないのでプラグケース１４を製作する際に開口部１４ａを設けず閉塞された状態にしておく。これを回路遮断器１２として使用するときは、外観上での接続タイプの判別が困難であるため、プラグケース１４の外面にＮ―Ｔ・Ｒ−Ｎ・Ｒ―Ｔの記号を表示することになっている。
【００２１】
このように構成されたプラグイン回路遮断器１２においては、安価で簡素な絶縁蓋１５を用いて、差込用プラグ１３を組み込まない開口部１４ａからプラグケース１４に異物、塵埃などが入るのを防止することができる。従って、この発明によれば、下記のような各種の特徴をも備えたプラグイン回路遮断器を提供できる。
１．プラグケース１４の幅が狭く、奥が深いところでも容易に絶縁蓋１５を組み込むことができる。
２．プラグケース１４の開口部１４ａの側面の片側にのみ固定部１４ｃを設けるため、開口部１４ａを広く取ることができ、プラグ幅をできるだけ大きくし、プラグ１３の接圧、耐久性を上げることができる。
３．プラグケース１４の固定部１４ｃが差込用プラグ１３を固定し、差込用プラグ１３のガタツキを無くすことができる。
４．差込用プラグ１３と絶縁蓋１５の組み合わせにより対応するＲ−Ｎ（Ｓ）、Ｒ−Ｔ、Ｎ（Ｓ）−Ｔ相用のいずれにおいても同一形状のプラグケース１４が共用できる。
５．絶縁蓋１５の凹部１５ｃは組み込み後の遮断時に有効となる排気孔の役割も兼ねることができる。
【図面の簡単な説明】
【００２２】
【図１】この発明の実施の形態１における２極回路遮断器の外観斜視図である。
【図２】差込接続アダプタを取り外した状態の回路遮断器本体の内部構造図である。
【図３】差込接続アダプタを背面側から見た分解斜視図である。
【図４】差込接続アダプタを前面側から見た分解斜視図である。
【図５】差込用プラグと端子部の関係を示す斜視図である。
【図６】この発明の主要部となる絶縁蓋の斜視図である。
【図７】差込接続アダプタを背面側から見た内部の斜視図である。
【図８】差込接続アダプタにおいてプラグホルダを除いた状態を示す説明用背面図である。
【図９】プラグケースにこの発明の絶縁蓋を挿入するときの説明図である。
【図１０】プラグケースに絶縁蓋を挿入する要領を示す説明図である。
【図１１】プラグケースに絶縁蓋を挿入した状態を示す説明図である。
【図１２】プラグケースに絶縁蓋を右回転させて挿入するときの説明図である。
【図１３】Ｎ―Ｔ接続タイプの説明図である。
【図１４】Ｒ−Ｎ接続タイプの説明図である。
【図１５】Ｒ―Ｔ接続タイプの説明図である。
【符号の説明】
【００２３】
１  筐体、
２  接点部、
３  ハンドル、
４  開閉機構、
５  過電流引き外し部、
６  電源側端子、
７  負荷側端子、
８  差込接続アダプタ、
９  端子部左、
１０  端子部右、
１２  回路遮断器、
１３  差込用プラグ、１３ａ  側面、１３ｂ  可撓銅撚り線、
１４  プラグケース、１４ａ  開口部、１４ｂ  軸支部、１４ｃ  固定部、
１４ｄ  プラグホルダ用突起、１４Ｒ  凹部、１４Ｎ  凹部、１４Ｔ  凹部、
１５  絶縁蓋、１５ａ  軸状凸部、１５ｂ  固定用凸部、１５ｃ  排気口、
１６  補助ばね、
１７  プラグホルダ左、
１８  プラグホルダ右、
２０  回路遮断器本体。
【図１】
0004799540.tif 000002
【図２】
0004799540.tif 000003
【図３】
0004799540.tif 000004
【図４】
0004799540.tif 000005
【図５】
0004799540.tif 000006
【図６】
0004799540.tif 000007
【図７】
0004799540.tif 000008
【図８】
0004799540.tif 000009
【図９】
0004799540.tif 000010
【図１０】
0004799540.tif 000011
【図１１】
0004799540.tif 000012
【図１２】
0004799540.tif 000013
【図１３】
0004799540.tif 000014
【図１４】
0004799540.tif 000015
【図１５】
0004799540.tif 000016